(57)【要約】      （修正有）【課題】誰もが簡単に新聞や雑誌、ダンボール等を結束できる収納箱を提供する。【解決手段】収納箱の上面を開放し、底板とＡからＤの４面の面壁を設け、その面壁それぞれに１から１２の切り込み部を設けて、収納箱を構成する。使用に当たっては、その切り込み部に紐を順番に狭着させることで、新聞等を結束するための紐をあらかじめ備えることができ、新聞等が一杯になったところで収納箱から取り出さずに、新聞等に紐を簡単にかけ縛ることができるようにする。【選択図】図１
0003151230.tif 000002
【実用新案登録請求の範囲】
【請求項１】
収納箱の上面を開放し、底板と４面の面壁をからなり面壁のそれぞれに、紐を備えるための切り込み部を設けたことを特徴とした収納箱
【請求項２】
収納箱の上面を開放し、底板と４面の面壁からなり、その面壁のそれぞれに紐を備えるための切り込み部と凹み部を設けたことを特徴とした収納箱
【考案の詳細な説明】
【技術分野】
【０００１】  本考案は、新聞や雑誌、ダンボール等の収納箱で、結束するための紐をあらかじめ備えつけることができる収納箱に関するものである。
【背景技術】
【０００２】  従来は、新聞や雑誌、ダンボール等を収納箱に入れ一杯になった時、紐で結束するために箱から新聞や雑誌、ダンボール等を一度取り出し、持ち上げて紐をかけ、結束するという煩雑な点があった。【０００３】  上記問題点を解決するものとして、収納箱から新聞等を持ち上げずに紐をかけるために紐を通すための空間と底板に十字状の切り込みを入れた構造を有する収納箱がある（特許文献１）。しかし収納箱に新聞や雑誌、ダンボール等を入れた後出す手間と持ち上げて紐をかける作業が省かれるが、その空間に紐を通す作業があることと、構造状二重底にしさらに上部底板に十字に切り込みを入れることで構造となるため製造が難しく、また収納箱の強度も問題となる。【０００４】  上記問題点を解決するものとして、あらかじめ紐を備えることのできる収納箱がある。結束するための紐を配置する方法として、紐を引っ掛けるため面壁の内部に複数の爪状フックを加工した構造を特徴とするものがある（特許文献２）。しかし爪状のため引っ掛けるときに手間がかかるのと、新聞や雑誌、ダンボール等を入れている途中に外れてしまう可能性や、一杯になった時点で紐を外す際に爪状のフックから紐を外しにくいという欠点がある。【０００５】  上記項目とは別の方法であらかじめ紐を収納箱に備える収納箱がある。面壁に溝を成型し、その溝に沿って紐を備えることを特徴とした収納箱がある（特許文献３）。Ｌ字状の溝に加工した場合、新聞等を入れている途中に紐が緩んで外れてしまいやすい欠点がある。また紐が緩んでも外れにくくするためにＵ字状に溝を加工すると、紐を外す作業が難しい欠点がある。
【先行技術文献】
【０００６】
【参考文献１】
特許公開平８−８５５１０
【参考文献２】
特許出願２０００−１３１８１４
【参考文献３】
特許公開２００５−２１９８０７
【考案の概要】
【考案が解決しようとする課題】
【０００７】  収納箱に新聞や雑誌、ダンボール等を収納し、取り出さずに紐をかけるという目的は特許文献１から３において達成しているが、実際に紐を備える作業や、新聞や雑誌、ダンボール等を入れている途中の緩み、また紐を外す際の作業に問題がある。【０００８】  そこで考案が解決しようとする課題は、誰もが簡単に収納箱に結束するための紐を備えやすく、また新聞や雑誌、ダンボール等を入れている途中でも紐の緩みによる外れや、紐を結束するさいに簡単に紐を外すことのできる収納箱を提供する。
【課題を解決するための手段】
【０００９】  請求項１記載に係わる収納箱は、誰もが簡単に紐を備えやすくするため、上面を開放し底板と４面の面壁を設け、その面壁のそれぞれに切り込み部を入れることで、結束するための紐を狭着させることのできる収納箱を提供する。【００１０】  請求項２記載に係わる収納箱は、誰もが簡単に紐を備えやすくするため、上面を開放し底板と４面の面壁を設け、その面壁のそれぞれに切り込み部と凹み部を組み合わせることで、結束するための紐を備えやすくできる収納箱を提供する。
【考案の効果】
【００１１】  本考案は子供から老人まで誰でも簡単に、収納箱に新聞や雑誌、ダンボール等を結束するための紐をあらかじめ備えられる収納箱を提供することで、新聞や雑誌、ダンボール等を縛る際収納箱から取り出す手間がいらず、簡単に結束しり取り出すことができる収納箱である。
【図面の簡単な説明】
【００１２】
【図１】実施例１における斜視図
【図２】実施例２における斜視図
【図３】実施例３における斜視図
【図４】実施例４における斜視図
【図５】狭着した紐を外す際の斜視図
【図６】狭着した紐を外した斜視図
【考案を実施するための形態】
【００１３】  本考案を実施するための最良の形態を図１に基づいて説明する。図１はＡ、Ｂ、Ｃ、Ｄ、の４面の面壁を設け、各面壁に紐を狭着するための切り込み１から１２を設けたことを特徴とする収納箱。図１で紐を収納箱に具備し、新聞や雑誌、ダンボール等を収納箱に入れ一杯になった際に図５のように紐をはずし、図６のように紐で結束し取り出す。
【実施例】
【００１４】  実施例１を図１に基づいて説明する。収納箱の上面を開放し、底板とＡからＤの４面の面壁を設け、その面壁それぞれに１から１２の切り込み部を備えたことを特徴とした収納箱である。その切り込み部に紐を順番に狭着させることで、新聞等を結束するための紐をあらかじめ備えることができ、新聞等が一杯になったところで収納箱から取り出さずに、新聞等に紐を簡単にかけ縛ることができる収納箱である【００１５】実施例２を図２に基づいて説明する。収納箱の上面を開放し、底板とＡからＤの４面の面壁を設け、その面壁の外縁に２１から３２の切り込み部を有したことを特徴とし、図１と切り込み部が２２、２５、２８、３１の位置が違う収納箱。【００１６】実施例３を図３に基づいて説明する。収納箱の上面を開放し、底板とＡからＤの４面の面壁を設け、その面壁の外縁に２１から５１の切り込み部を有し、紐の始端と終端の狭着する切り込み位置が４１としたことを特徴とした収納箱。【００１７】実施例４を図４に基づいて説明する。収納箱の上面を開放し、底板とＡからＤの４面の面壁を設け、その面壁の外縁に６１、６３、６４、６６、６７、６９、７０、７２の切り込み部と６２、６５、６８、７１の凹部を備えたことを特徴とした収納箱。切り込みによる紐の狭着部位と紐を簡易に保持する凹部を組み合わせることで構造簡単にした特徴を有する収納箱。
【産業上の利用可能性】
【００１８】  本発明は一般家庭、オフィス等で古新聞、古雑誌等、の整理をするための収納箱であり、誰もが簡単に一杯になった時点で古紙を取り出さずに紐をかけ束ねることができる収納箱である。
【符号の説明】
【００１９】Ａ    面壁
Ｂ    面壁
Ｃ    面壁
Ｄ    面壁
１    切り込み部
２    切り込み部
３    切り込み部
４    切り込み部
５    切り込み部
６    切り込み部
７    切り込み部
８    切り込み部
９    切り込み部
１０  切り込み部
１１  切り込み部
１２  切り込み部
２１  切り込み部
２２  切り込み部
２３  切り込み部
２４  切り込み部
２５  切り込み部
２６  切り込み部
２７  切り込み部
２８  切り込み部
２９  切り込み部
３０  切り込み部
３１  切り込み部
３２  切り込み部
４１  切り込み部
４２  切り込み部
４３  切り込み部
４４  切り込み部
４５  切り込み部
４６  切り込み部
４７  切り込み部
４８  切り込み部
４９  切り込み部
５０  切り込み部
５１  切り込み部
６１  切り込み部
６２  凹み部
６３  切り込み部
６４  切り込み部
６５  凹み部
６６  切り込み部
６７  切り込み部
６８  凹み部
６９  切り込み部
７０  切り込み部
７１  凹み部
７２  切り込み部
【図１】
0003151230.tif 000003
【図２】
0003151230.tif 000004
【図３】
0003151230.tif 000005
【図４】
0003151230.tif 000006
【図５】
0003151230.tif 000007
【図６】
0003151230.tif 000008
【手続補正書】
【提出日】平成21年3月10日(2009.3.10)
【手続補正１】
【補正対象書類名】実用新案登録請求の範囲
【補正対象項目名】請求項１
【補正方法】変更
【補正の内容】
【請求項１】
収納箱の上面を解放し、底板と４面の面壁からなり、面壁のそれぞれに、紐を備えるための切り込み部を設けたことを特徴とした収納箱
【手続補正２】
【補正対象書類名】明細書
【補正対象項目名】０００３
【補正方法】変更
【補正の内容】
【０００３】  上記問題点を解決するものとして、収納箱から新聞等を持ち上げずに紐をかけるために、紐を通すための空間と底板に十字状の切り込みを入れた構造を有する収納箱がある（特許文献１）しかし収納箱に新聞や雑誌、ダンボール等を入れた後、出す手間と、持ち上げて紐をかける作業が省かれるが、その空間に紐を通す作業があることと、底板の構造を二重底にし、さらに上部底板に十字の溝を入れる構造となるため、製造や強度が問題となる